(57)【要約】      （修正有）【課題】耐久性を向上させたバンドを提供する。【解決手段】バンドＢは、手又は足に装着され、光を反射する再帰反射機能部材を具備したバンドであって、長手方向に沿って樋状の湾曲溝を有する板バネ材で構成され直状態を保持し、樋状の湾曲溝の一部に外圧が加わり溝が平らに変形すると長手方向に沿う樋状の湾曲溝の全体は平らに変形して板バネ材の全体がリング状に変形し、逆にリング状にある板バネ材の両端を引き離して元の直状態に引き延ばすと再び長手方向に沿う樋状の湾曲溝が再現して直状態に戻るコンベックス金属薄片と、コンベックス金属薄片の表裏全体を覆う第１の覆い部材と、第１の覆い部材の表裏全体を覆う第２の覆い部材とを備える。【選択図】図４
0003231265.tif 000002
【実用新案登録請求の範囲】
【請求項１】
手又は足に装着され、光を反射する再帰反射機能部材を具備したバンドであって、
長手方向に沿って樋状の湾曲溝を有する板バネ材で構成され直状態を保持し、前記樋状の湾曲溝の一部に外圧が加わり溝が平らに変形すると長手方向に沿う前記樋状の湾曲溝の全体は平らに変形して板バネ材の全体がリング状に変形し、逆にリング状にある板バネ材の両端を引き離して元の直状態に引き延ばすと再び長手方向に沿う前記樋状の湾曲溝が再現して直状態に戻るコンベックス金属薄片と、
このコンベックス金属薄片の表裏全体を覆う第１の覆い部材と、
この第１の覆い部材の表裏全体を覆う第２の覆い部材とを備え、
ことを特徴とするバンド。
【請求項２】
第２の覆い部材は、繊維素材で形成されている
ことを特徴とする請求項１記載のバンド。
【請求項３】
第２の覆い部材は、ポリエステルオックスの生地で形成されている
ことを特徴とする請求項１記載のバンド。
【請求項４】
第１の覆い部材は、防水素材で形成され、
第２の覆い部材は、繊維素材で形成されている
ことを特徴とする請求項１記載のバンド。
【考案の詳細な説明】
【技術分野】
【０００１】
本考案は、バンドに係り、特に、耐久性を向上させたバンドに関する。
【背景技術】
【０００２】
従来、巻き込み式板バネを収めた板バネの両端部が、外装材から飛び出さない保護キャップ付きの安全で機能的なバネ腕章がある(特許文献１参照)。
このバネ腕章は、腕を一回り以上する長さで成る幅広の帯板バネ（２）の素材が、断面形状が湾曲状を成すコンベックス部材による帯板バネ（２）とし、該帯板バネ（２）の両端部に保護キャップ（３）を取り付けるとともに、該保護キャップ（３）付き帯板バネ（２）を、二枚の合成樹脂シート（４），（４ａ）で挟んで後、前記帯板バネ（２）の全周囲をウエルダー加工による溶着縁（５）を形成することで帯板バネ（２）端部が飛びださない安全で機能的なバネ腕章（１）となっている。
【先行技術文献】
【特許文献】
【０００３】
【特許文献１】登録実用新案第３０２１５６９号公報
【考案の概要】
【考案が解決しようとする課題】
【０００４】
ところが、上記のバンドにあっては、封入した帯板バネ端部の保護キャップによって合成樹脂シートで成る外装材を突き破って外に飛び出し、その飛び出し量が大きい場合、二枚の合成樹脂シート（４），（４ａ）の両端以外の部分が破損した場合、コンベックス部材である帯板バネ（２）によりけがし易いという問題点が生じた。
【０００５】
本考案は、上記の問題点を考慮してなされたバンドを提供することにある。
【課題を解決するための手段】
【０００６】
請求項１記載のバンドは、手又は足に装着され、光を反射する再帰反射機能部材を具備したバンドであって、長手方向に沿って樋状の湾曲溝を有する板バネ材で構成され直状態を保持し、前記樋状の湾曲溝の一部に外圧が加わり溝が平らに変形すると長手方向に沿う前記樋状の湾曲溝の全体は平らに変形して板バネ材の全体がリング状に変形し、逆にリング状にある板バネ材の両端を引き離して元の直状態に引き延ばすと再び長手方向に沿う前記樋状の湾曲溝が再現して直状態に戻るコンベックス金属薄片と、このコンベックス金属薄片の表裏全体を覆う第１の覆い部材と、この第１の覆い部材の表裏全体を覆う第２の覆い部材とを備えたものである。
【０００７】
また、請求項２記載のバンドは、請求項１記載のバンドにおいて、第２の覆い部材は、繊維素材で形成されているものである。
【０００８】
また、請求項３記載のバンドは、請求項１記載のバンドにおいて、第２の覆い部材は、ポリエステルオックスの生地で形成されているものである。
【０００９】
また、請求項４記載のバンドは、請求項１記載のバンドにおいて、第１の覆い部材は、防水素材で形成され、第２の覆い部材は、繊維素材で形成されているものである。
【考案の効果】
【００１０】
請求項１記載のバンドによれば、コンベックス金属薄片を第１の覆い部材、第２の覆い部材と二重に覆う二重構造とし、耐久性を向上させ、第２の覆い部材が損傷しても、コンベックス金属薄片は第１の覆い部材で覆われているため、コンベックス金属薄片によるケガを防止することができる。
【００１１】
また、請求項２記載のバンドによれば、上述した請求項1記載の考案の効果に加え、第２の覆い部材は、繊維素材で形成されているため、従来のビニールに比べ、快適に装着することができる。
【００１２】
また、請求項３記載のバンドによれば、上述した請求項1記載の考案の効果に加え、第２の覆い部材は、ポリエステルオックスの生地で形成されているため、従来のビニールに比べ、快適に装着することができる。
【００１３】
また、請求項４記載のバンドによれば、上述した請求項１記載の考案の効果に加え、第２の覆い部材は、繊維素材で形成されているため、従来のビニールに比べ、快適に装着することができ、第２の覆い部材を水が通過しても、コンベックス金属薄片は、防水素材で形成された第１の覆い部材で保護され、錆を防ぐことができる。
【図面の簡単な説明】
【００１４】
【図１】図１は、本考案の一実施例のバンドの表側を撮影した写真である。
【図２】図２は、図１のバンドの裏側を撮影した写真である。
【図３】図３は、図１のバンドの一部に外圧が加わり、内在したコンベックス金属薄片が変形し、図１のバンドがリング状に変形した状態を撮影した写真である。
【図４】図４は、図１のバンドの第２の覆い部材の開口部から第１の覆い部材の一部が露出した状態を撮影した写真である。
【図５】図５は、図４の第２の覆い部材の開口部から取り出した第１の覆い部材の表面と前記第２の覆い部材の表面とを撮影した写真である。
【図６】図６は、図５の第１の覆い部材の裏面と前記第２の覆い部材の裏面を撮影した写真である。
【考案を実施するための形態】
【００１５】
本考案の一実施例のバンドを図１乃至図６を参照して説明する。
【００１６】
図１に示すＢはバンドで、バンドＢは、手又は足に装着され、光を反射する再帰反射機能部材を具備している。
１は、コンベックス金属薄片（図示せず）の表裏全体を覆う第１の覆い部材で、第１の覆い部材１は、例えば、防水素材で形成され、具体的には、ビニールで形成されている。そのため、後述する第２の覆い部材２を通過した水による図示しないコンベックス金属薄片の錆を防ぐことができる。
２は、第１の覆い部材１の表裏全体を覆う第２の覆い部材で、第２の覆い部材２は、例えば、繊維素材で形成されており、従来のビニールに比べ、快適に装着することができる。第２の覆い部材２は、具体的には、例えば、ポリエステルオックスの生地で形成されているため、従来のビニールに比べ、快適に装着することができる。
【００１７】
なお、第１の覆い部材１に内在された図示しないコンベックス金属薄片は、公知のもので、長手方向に沿って樋状の湾曲溝を有する板バネ材で構成され直状態を保持し、前記樋状の湾曲溝の一部に外圧が加わり溝が平らに変形すると長手方向に沿う前記樋状の湾曲溝の全体は平らに変形して板バネ材の全体がリング状に変形し、逆にリング状にある板バネ材の両端を引き離して元の直状態に引き延ばすと再び長手方向に沿う前記樋状の湾曲溝が再現して直状態に戻るもので、例えば、銅板で形成されている。
【００１８】
従って、上述したバンドＢによれば、コンベックス金属薄片（図示せず）を第１の覆い部材１、第２の覆い部材２と二重に覆う二重構造とし、耐久性を向上させ、第２の覆い部材２が損傷しても、コンベックス金属薄片（図示せず）は第１の覆い部材１で覆われているため、コンベックス金属薄片（図示せず）がはみ出しによるケガを防止することができる。
【符号の説明】
【００１９】
Ｂ      バンド
１      第１の覆い部材
２      第２の覆い部材
【図１】
0003231265.tif 000003
【図２】
0003231265.tif 000004
【図３】
0003231265.tif 000005
【図４】
0003231265.tif 000006
【図５】
0003231265.tif 000007
【図６】
0003231265.tif 000008